(57)【要約】【課題】水にさらされた状態で常用された場合でも十分な耐久性及び強度を有し、且つ、海面に浮く漁業用ハッカーを提供する。【解決手段】ハッカー１０は、柄部１１とフック１２とを備える。柄部１１は、アルミニウム製のパイプ１６を有する。柄部１１は、パイプ１６の一端の開口をゴム栓１８でシールし、他端の開口をキャップ１７でシールすることにより、内部が中空状となるように形成されている。柄部１１の先端１５側に鉤状のフック１２が取り付けられている。【選択図】図１
2008131900.tif 000002
【特許請求の範囲】
【請求項１】
中空且つ長尺棒状に形成された金属からなる浮力体と、
浮力体の一端に設けられ、鉤状に形成された鉤部と、を具備する漁業用ハッカー。
【請求項２】
上記浮力体が、
金属製のパイプと、
パイプの両端に設けられ、パイプ内部への浸水を阻止するシール部材とを有する請求項１に記載の漁業用ハッカー。
【請求項３】
上記パイプが、アルミニウム若しくはアルミニウムを主成分とするアルミニウム合金で形成されている請求項２に記載の漁業用ハッカー。
【請求項４】
上記鉤部の反対側の端部に設けられた上記シール部材が、当該端部に被せられ且つ当該端部及びその周縁を密封するキャップである請求項２または３に記載の漁業用ハッカー。
【請求項５】
上記キャップが、樹脂で形成されてなる請求項４に記載の漁業用ハッカー。
【請求項６】
上記鉤部は、棒状の鋼材が屈曲形成されてなる請求項１から５のいずれかに記載の漁業用ハッカー。
【請求項７】
上記鉤部が、上記浮力体に着脱可能に構成されている請求項１から６のいずれかに記載の漁業用ハッカー。
【請求項８】
上記鉤部が、弾性部材を介して上記浮力体に連結されている請求項１から７のいずれかに記載の漁業用ハッカー。
【発明の詳細な説明】
【技術分野】
【０００１】
本発明は、主として船上で漁師が使用する漁具に関し、特に、海苔の養殖に使用される海苔網の引き寄せ作業、漁船の引寄せ或いは押し離し作業などを行う際に使用される漁業用ハッカーに関する。
【背景技術】
【０００２】
従来、浮き流し方法と呼ばれる海苔の養殖（以下「浮き流し式養殖」と称する。）が知られている。図８は、浮き流し式養殖を説明するための模式図である。図８に示されるように、浮き流し式養殖では、海苔網１が用いられる。この海苔網１には、海苔の幼芽が付着されている。海苔網１の周縁にはフロート３が取り付けられている。また、海苔網１の周縁に、海底に沈められたアンカー４がロープ５で連結されている。これにより、海苔網１は、潮流などによって流されることなく海面２で広げられた状態で浮遊する。この状態で、海苔網１に付着した幼芽は太陽の恵みを受けて成長する。
【０００３】
海苔網１に付着した海苔を収穫する場合、漁師は、漁船で海苔網に近づき、海苔網を船側に引き寄せて船上へ引き上げる。この際、漁師は、ハッカーと通称される漁具を用いて海苔網を漁船に引き寄せる。一般に、上記ハッカーは、棒状の柄部と、柄部の先端に取り付けられた鉤状のフックとを有する。ハッカーの用途は、海苔網の引き寄せに限られず、例えば、本船から他船を押し離す用途、或いは、他船を引き寄せて本船に接舷させる用途としても使用される。なお、本願出願時において出願人が知るハッカーに関する文献は、存在しない。
【発明の開示】
【発明が解決しようとする課題】
【０００４】
ところで、海苔網の引き寄せ時にハッカーを使用すると、当然にハッカーは海水を被る。従来のハッカーは、柄部が木製である。そのため、従来のハッカーには、柄部が水を吸い込んで腐食しやすくなるという問題がある。また、腐食は端部から進行する傾向にあるため、柄部の先端が腐食することによってフックの取り付けが緩み、フックが柄部から外れるおそれがある。また、腐食の進行に伴って柄部の強度が低下するという問題もある。
【０００５】
そこで、本発明は上記問題に鑑みてなされたものであり、その目的とするところは、水にさらされた状態で常用された場合でも十分な耐久性及び強度を有し、且つ、海面に浮く漁業用ハッカーを提供することにある。
【課題を解決するための手段】
【０００６】
(1)  本発明は、主として海上で漁師が使用する漁具の一種である漁業用ハッカーである。この漁業用ハッカーは、中空且つ長尺棒状に形成された金属からなる浮力体と、浮力体の一端に設けられ、鉤状に形成された鉤部とを具備する。
【０００７】
この構成によれば、棒状の浮力体の一端側を持ち手として当該漁業用ハッカーを操作し、海面に浮遊する海苔網を先端に設けられた鉤部で引っ掛けることができる。これにより、海苔網を容易に船体側に引き寄せることができる。また、浮力体は、中空に形成されているため、海面に浮く。したがって、漁師が漁業用ハッカーを海中に落下させたとしても、容易に拾い上げることができる。また、浮力体は、金属で構成されているため、耐腐食性を有し、しかも、木製のものに較べて強度が大きいため、耐久性に優れている。
【０００８】
(2)  上記浮力体が、金属製のパイプとシール部材とを有することが好ましい。シール部材は、パイプ内部への浸水を阻止するものであり、上記パイプの両端に設けられている。
【０００９】
これにより、浮力体の内部への浸水が防止されるため、浮力体の浮力が維持される。
【００１０】
(3)  上記パイプが、アルミニウム若しくはアルミニウムを主成分とするアルミニウム合金で形成されていることが望ましい。
【００１１】
アルミニウムの比重は約２．７ｇ／ｃｍ３であり、金属類の中で最も軽量である。また、アルミニウムは、空気中の酸素に反応して表面に酸化皮膜（アルマイト）ができるため、耐腐食性に優れている。したがって、アルミニウム若しくはこれを主成分とする合金で上記パイプを形成すれば、軽量で且つ丈夫な漁業用ハッカーを実現することができる。
【００１２】
(4)  上記鉤部の反対側の端部、言い換えれば、漁業用ハッカーの持ち手側の端部に設けられた上記シール部材が、当該端部に被せられ且つ当該端部及びその周縁を密封するキャップであることが好ましい。
【００１３】
これにより、パイプ内部へ浸水が防止される。また、持ち手のグリップ感が向上するため、漁業用ハッカーの操作性が格段によくなる。さらに、漁業用ハッカーの操作中に持ち手が滑ったとしても、持ち手がキャップに到達したときにキャップによって滑りが止められる。これにより、漁業用ハッカーの落下事故が減少する。
【００１４】
(5)  この場合、上記キャップが、ゴムやプラスチックなどの樹脂で形成されていることが好ましい。
【００１５】
漁業用ハッカーの用途は、海面に浮遊する海苔網の引き上げに限られない。例えば、当該漁業用ハッカーは、本船に他船を引き寄せたり、逆に、本船から他船を押し離したりする場合にも用いられる。前者の場合は、鉤部を他船の船縁に引っ掛けて引き寄せる。一方、後者の場合は、他船の船側に漁業用ハッカーの持ち手側の端部を押し当てて本船から他船を押し離す。このとき、上記キャップが樹脂で形成されていれば、特に、滑り止め効果の高いゴムで形成されていれば、他船の船側にしっかりとグリップするため、他船の押し離しが確実に行われる。
【００１６】
(6)  上記鉤部は、棒状の鋼材が屈曲形成されてなるものである。
【００１７】
この構成であれば、鉤部を極めて簡単に実現することができる。
【００１８】
(7)  上記鉤部が、上記浮力体に着脱可能に構成されたものであってもよい。
【００１９】
これにより、鉤部が損壊した場合でも、鉤部のみを交換するという極めて簡単な交換作業だけで漁業用ハッカーを容易に修繕することができる。
【００２０】
(8)  また、上記鉤部が、弾性部材を介して上記浮力体に連結されているものであってもよい。
【００２１】
この構成によれば、鉤部に海苔網が掛けられた状態で漁業用ハッカーが急激に引っ張られた場合に、弾性部材が伸長する。そのため、海苔網に急激な負荷が掛からない。したがって、海苔網やそれに付着する海苔の損傷を未然に防ぐことができる。
【００２２】
また、漁師が漁業用ハッカーを持ち手側で上下左右に振ると、持ち手側の振り幅より大きい幅で弾性部材が揺り動かされ、それに連結された鉤部も同様に揺動される。このような鉤部の動きは、漁師が漁業用ハッカーを使って海苔網を引っ掛けようとする動作にバリエーションを与える。これにより、漁業用ハッカーの操作性が向上する。
【発明の効果】
【００２３】
本発明の漁業用ハッカーは、海面に浮くため、漁師が漁業用ハッカーを海中に落とした場合でも、容易に拾い上げることができる。また、本発明の漁業用ハッカーは、浮力体が金属で構成されているため、木製のものに較べて耐腐食性及び耐久性に優れている。
【発明を実施するための最良の形態】
【００２４】
以下、適宜図面が参照されつつ、好ましい実施形態に基づいて本発明が詳細に説明される。なお、以下の実施形態は本発明が具体化された一例にすぎず、本発明の要旨を変更しない範囲で、各実施形態が適宜変更され得ることは言うまでもない。
【００２５】
《第１の実施形態》
以下、本発明の漁業用ハッカーの第１の実施形態に係るハッカー１０が説明される。ここに、図１は、ハッカー１０の斜視図である。図２は、ハッカー１０のフック１２を詳細に示す部分拡大斜視図である。図３は、ハッカー１０のフック１２の部分拡大図であり、（ａ）に正面図が示され、（ｂ）に側面図が示されている。なお、図２では、柄部１１の一部が省略されている。また、図３の（ａ）では、ゴム栓１８が省略されており、（ｂ）では、貫通孔２０付近の形状が断面図として表されている。
【００２６】
ハッカー１０は、主として、海面に浮遊する海苔網を引っ掛けて引き寄せる用途として用いられる漁具である。詳細については後述するが、このハッカー１０は、海面に浮くように構成されている。ハッカー１０は、大別すると、図１に示されるように、柄部１１（浮力体の一例）と、柄部１１の先端１５側に設けられたフック１２（鉤部の一例）とを備える。
【００２７】
柄部１１は、図１に示されるように、略真っ直に形成された長尺棒状のパイプ１６と、パイプ１６の持ち手側の端部１４に取り付けられたキャップ１７とを備える。パイプ１６は、アルミニウム或いはアルミニウムを主成分とするアルミニウム合金で形成された円筒形状のものである。本第１の実施形態では、パイプ１６は、長さが２．０ｍ、肉厚が２．０ｍｍ、外径が２５ｍｍに形成されている。なお、パイプ１６の長さ、肉厚、外径は、ハッカー１０が海面に浮く機能を喪失しない範囲で、使用者が扱いやすい形状及び重量となる寸法に適宜変更することが可能である。例えば、パイプ１６の長さは、１．５ｍ〜３．０ｍの範囲で使用者にとって使用勝手のよい最適な寸法を採用することが可能である。また、パイプ１６の形状は、円筒に限られず、例えば、楕円筒状や四角筒状であってもよい。
【００２８】
パイプ１６は、その構造上、両端が開口されている。パイプ１６の両端の開口は、ゴム栓１８及びキャップ１７（いずれもシール部材の一例）によってシールされている。具体的には、図２に示されるように、フック１２が取り付けられる先端１５の開口に、ゴム栓１８が液密的に嵌め入れられている。また、図１に示されるように、上記先端１５とは反対側、即ち、持ち手側の端部１４の開口には、キャップ１７が取り付けられている。キャップ１７は、例えばニトリルゴム（ＮＢＲ）などの弾性部材で形成されている。キャップ１７の内孔は、端部１４の外径よりも若干小さく形成されている。このキャップ１７の内孔に端部１４が嵌め入れられることにより、端部１４がキャップ１７で被せられる。このとき、端部１４の開口及びその周縁がキャップ１７によって液密的に密封される。このように、パイプ１６の両端の開口がゴム栓１８及びキャップ１７でシールされることにより、パイプ１６の内部は空間的に外部から隔離される。したがって、パイプ１６が水に浸されたとしても、パイプ１６の内部へ浸水することはない。なお、キャップ１７の材質は、弾性部材に限られず、ポリエチレン（ＰＥ）や アクリロニトリルブタジエンスチレン樹脂（ＡＢＳ樹脂）などの合成樹脂であってもよい。
【００２９】
柄部１１は、内部が中空形状に形成されている。柄部１１の中空形状は、パイプ１６の両端の開口がゴム栓１８及びキャップ１７でシールされることにより具現化される。本来、アルミニウムの比重は水より大きいため、パイプ１６は海中に沈む。しかしながら、本第１の実施形態では、上述の如く柄部１１が中空形状に形成されているため、フック１２の重量を加味したとしても、柄部１１の内部の空気の浮力によって、ハッカー１０は海面に浮く。
【００３０】
柄部１１の先端１５側には、柄部１１の径方向に貫通する貫通孔２０が形成されている。この貫通孔２０に、後述されるフック１２の挿入部２３が挿入される。
【００３１】
図１から図３に示されるように、柄部１１の先端１５側にフック１２が取り付けられている。同図に示されるように、ブック１２は、柄部１１の先端１５から柄部１１の長手方向へ突出しない範囲で取り付けられる。フック１２は、挿入部２３と、主部２４と、掛け部２５とを備える。フック１２は、直径７ｍｍのステンレス製の丸棒状の鋼材を屈曲させて形成される。
【００３２】
挿入部２３は、ストレートの鋼材の一方端が直角に屈曲されて形成される。挿入部２３は、柄部１１の外径よりやや長い寸法を有する。この挿入部２３は、上記貫通孔２０に挿入される。このとき、貫通孔２０の一方の孔から挿入された挿入部２３の先端は、貫通孔２０の他方の孔から柄部１１の外周面に突出する。貫通孔２０に挿入部２３が挿入されると、フック１２は、柄部１１の長手方向への移動が規制される。なお、貫通孔２０と挿入部２３との間に隙間が生じるが、当該隙間にはシリコン樹脂などのシール剤が充填される。これにより、上記隙間からの浸水が防止される。
【００３３】
主部２４は、挿入部２３が貫通孔２０に挿入された状態で、柄部１１の先端１５側へ真っ直ぐに延設されている。この主部２４の先端１５側の端部から掛け部２５が連続して設けられている。主部２４の挿入部２３側の端部に取付金具２８が接合されている。また、主部２４の先端１５側の端部に取付金具２９が接合されている。フック１２は、挿入部２３及び取付金具２８，２９によって、柄部１１の先端に着脱可能に取り付けられる。
【００３４】
取付金具２８，２９は、いずれも、細幅に形成された長尺状の金属板からなり、例えば、当該金属板をＣ字状に湾曲させて形成される。取付金具２８，２９は、フック１２と同じ材質、つまり、ステンレスで構成されている。取付金具２８，２９の内径は、柄部１１の外径に略一致している。この取付金具２８，２９は、主部２４に溶着されている。取付金具２８，２９が柄部１１の外周面に嵌められることで、フック１２が柄部１１に取り付けられる。なお、フック１２は、取付金具２８，２９を緩め、貫通孔２０から挿入部２３を抜き出すことによって、柄部１１から容易に取り外すことができる。
【００３５】
掛け部２５は、ストレートの鋼材の他方端（挿入部２３とは反対側の端部）が所定の曲率で湾曲されて形成される。掛け部２５は、図３に示されるように、主部２４に対して挿入部２３とは反対側の方向へ角度θをなして延びている。この掛け部２５に海苔網が引っ掛けられる。角度θは、掛け部２５に海苔網が効果的に掛かるように、９０°（ｄｅｇｒｅｅ）未満の鋭角に設定されている。より好ましくは、角度θは、３０°〜６０°に設定されている。この範囲で角度θが設定されることで、海苔網の掛け外れが軽減される。本第１の実施形態では、主部２４から掛け部２５に至る湾曲部２６は、半径４０ｍｍの曲げ加工をストレートの鋼材に施すことによって形成される。このような湾曲部２６がフック１２に設けられているため、掛け部２５に海苔網を引っ掛けた際に、海苔網或いは網に付着した海苔は損傷しない。
【００３６】
フック１２は、図２及び図３に示されるように、その全長Ｌ１、即ち、挿入部２３から掛け部２５の湾曲部までの長さが、概ね２３０ｍｍである。また、掛け部２５の長さＬ２は、概ね６０ｍｍである。このようなサイズのフック１２は、上述した寸法（長さが２．０ｍ、肉厚が２．０ｍｍ、外径が２５ｍｍ）のパイプ１６に最適である。もちろん、フック１２の寸法及び形状は、パイプ１６や海苔網の形状などに応じて適宜変更してもよい。
【００３７】
このように構成されたハッカー１０であれば、海上で漁師がハッカー１０を用いて海苔網を船側に引き寄せている最中にハッカー１０を海面に落としたとしても、ハッカー１０は海面に浮くため、漁師はハッカー１０を容易に拾い上げることができる。また、ハッカー１０の柄部１１は、アルミニウム製のパイプ１６で形成されているため、腐食し難いだけでなく、強度も大きいため、耐久性に優れる。
【００３８】
また、パイプ１６の先端１５の開口をゴム栓１８で密封し、端部１４の開口をキャップ１７で密封するといった簡単な手法で中空状の柄部１１を構成しているため、ハッカー１０の製造工程数を省減することができる。これにより、ハッカー１０の製造単価を抑えることができる。
【００３９】
また、本第１の実施形態では、アルミニウム若しくはアルミニウム合金で形成されたパイプ１６を採用しているため、軽量である。しかも、柄部１１の表面が酸化皮膜（アルマイト）で保護されるため、腐食し難い丈夫なハッカー１０を実現することができる。なお、本第１の実施形態では、アルミニウム製のパイプ１６で柄部１１が構成されるが、言うまでもなく、アルミニウム以外の金属、例えば、ステンレスや一般構造用炭素鋼などで形成されたパイプで柄部１１を構成してもよい。
【００４０】
また、本第１の実施形態では、柄部１１の持ち手側の端部１４にキャップ１７が取り付けられているため、持ち手のグリップ感が向上し、ハッカー１０の操作性が格段に良くなる。また、キャップ１７はゴムで形成されているため、海苔網の引き寄せ以外の用途、例えば、端部１４を他船の船側に押し当てて他船を本船から押し離す用途にハッカー１０を用いた場合に、キャップ１７が他船の船側にしっかりとグリップするため、好適である。もちろん、柄部１１の先端１５を他船に押し当てて本船から押し離す用途とし本ハッカー１０を用いてもよい。
【００４１】
《第２の実施形態》
以下、本発明の漁業用ハッカーの第２の実施形態に係るハッカー４０が説明される。ここに、図４は、ハッカー４０フック４２を詳細に示す部分拡大図である。図４では、貫通孔２０付近の形状が断面図として表されている。なお、本第２の実施形態では、上述の第１の実施形態のハッカー１０の構成要素と共通する構成要素に、ハッカー１０の構成要素に付した符号と同じ符号を付すことにより、その詳細な説明を省略する。
【００４２】
ハッカー４０は、大別すると、図４に示されるように、柄部１１と、柄部１１の先端１５側に設けられたフック４２（鉤部の一例）とを備える。柄部１１は、第１の実施形態のハッカー１０と概ね同様の構成である。ハッカー４０は、フック４２の挿入部４３の形状と、柄部１１に対するフック４２の取付構造とにおいて、第１の実施形態のハッカー１０と相違する。
【００４３】
フック４２の挿入部４３は、図４に示されるように、ストレートの鋼材の一方端が直角に屈曲されて形成される。主部２４に対して掛け部２５が折り曲げられている方向と同方向に屈曲されることにより形成される。この挿入部４３が、貫通孔２０に挿入されることで、フック４２は、柄部１１の長手方向への移動が規制される。なお、フック４２の他の構成は、第１の実施形態のフック１２と同様であるため、詳細な説明を省略する。
【００４４】
柄部１１に対するフック４２の取り付けは、次のように行われる。フック４２には、主部２４に溶着された取付金具２９と、挿入部４３の主部２４側に溶着された取付金具２８とが設けられている。まず、挿入部４３が貫通孔２０に挿入される。挿入部４３が貫通孔２０に挿入されると、貫通孔２０の他方の孔から挿入部４３の先端が突出する。このとき、貫通孔２０と挿入部４３との間に隙間が生じるが、当該隙間にはシリコン樹脂などのシール剤が充填される。続いて、取付金具２８，２９が柄部１１の外周面に嵌められる。これにより、フック４２の主部２４が柄部１１に固定される。更に、貫通孔２０から突出した挿入部４３の先端と取付金具２８とが溶着される。これにより、フック４２が柄部１１に強固に取り付けられる。
【００４５】
《第３の実施形態》
以下、本発明の漁業用ハッカーの第３の実施形態に係るハッカー５０が説明される。ここに、図５は、ハッカー５０のフック５２を詳細に示す部分拡大図である。図５では、柄部１１の先端１５付近の形成が断面図として表されている。なお、本第３の実施形態では、上述の第１の実施形態のハッカー１０の構成要素と共通する構成要素に、ハッカー１０の構成要素に付した符号と同じ符号を付すことにより、その詳細な説明を省略する。
【００４６】
ハッカー５０は、大別すると、図５に示されるように、柄部１１と、柄部１１の先端１５側に設けられたフック５２（鉤部の一例）とを備える。柄部１１は、第１の実施形態のハッカー１０と概ね同様の構成であるが、貫通孔２０よりも先端１５側に貫通孔２０と同一サイズの貫通孔５５が形成されている点のみが異なる。
【００４７】
図５に示されるように、柄部１１の先端１５にフック５２が取り付けられている。フック５２は、挿入部５６と、主部２４と、掛け部２５とを備える。主部２４及び掛け部２５は一体に形成されており、例えば、直径７ｍｍのステンレス製の丸棒状の鋼材を屈曲させて形成される。主部２４の一端が挿入部５６の端部に螺着或いは溶着などによって取り付けられることにより、フック５２が構成されている。
【００４８】
挿入部５６は、パイプ１６の内孔に挿入される。したがって、挿入部５６は、パイプ１６の内孔の形状に対応して形成されている。具体的には、挿入部５６は、丸棒状で、且つ、直径がパイプ１６の内孔より若干小さく形成されている。挿入部５６は、そのほぼ全体がパイプ１６に挿入された状態で貫通孔２０が形成された位置よりも深い位置に先端が達する長さを有する。
【００４９】
挿入部５６には、貫通孔２０及び貫通孔５４に対応した位置に、挿入部５６を径方向に貫通する孔が形成されている。挿入部５６に形成された孔と、貫通孔２０及び貫通孔５４とにボルト５８を挿通させて、このボルト５８をナット５９で締め上げることで、フック５２が柄部１１に取り付けられる。フック５２の取り外しは、言うまでもなく、ナット５９を緩めてボルト５８を貫通孔２０及び貫通孔５４から抜き出すことにより行われる。なお、パイプ１６の内孔と挿入部５６との間に隙間が生じるが、当該隙間にシリコン樹脂などのシール剤を充填し、或いは、当該隙間にＯリングなどのシール部材を介在させることで、上記隙間からの浸水を防ぐことができる。
【００５０】
《第４の実施形態》
以下、本発明の漁業用ハッカーの第４の実施形態に係るハッカー７０が説明される。ここに、図６は、ハッカー７０のフック７２を詳細に示す部分拡大図である。図７は、フック７２の変形例であるフック８２を示す部分拡大図である。図６及び図７では、柄部１１の先端１５付近の形成が断面図として表されている。なお、本第４の実施形態では、上述の第１の実施形態のハッカー１０の構成要素と共通する構成要素に、ハッカー１０の構成要素に付した符号と同じ符号を付すことにより、その詳細な説明を省略する。
【００５１】
ハッカー７０は、大別すると、図６に示されるように、柄部１１と、柄部１１の先端１５側に設けられたフック７２（鉤部の一例）とを備える。柄部１１は、第１の実施形態のハッカー１０と概ね同様の構成であるが、パイプ１６の先端１５の内孔にネジ穴７４が形成されている点と貫通孔２０が形成されていない点のみが異なる。
【００５２】
図６に示されるように、柄部１１の先端１５にフック７２が取り付けられる。フック７２は、連結部７６と、主部２４と、掛け部２５とを備える。主部２４及び掛け部２５は一体に形成されており、例えば、直径７ｍｍのステンレス製の丸棒状の鋼材を屈曲させて形成される。主部２４の一端が連結部７６に接合されることにより、フック７２が構成されている。
【００５３】
連結部７６には、ネジ穴７４に螺着されるネジ部７７が形成されている。このネジ部７７をネジ穴７４に締め込むことにより、フック７６が柄部１１に取り付けられる。このようにフック７２が構成されることにより、柄部１１に対するフック７２の着脱が容易になる。
【００５４】
図７に、フック７２の変形例であるフック８２（鉤部の一例）が示されている。フック８２は、主部２４と連結部７６との間に継手８３が介在している。言い換えれば、フック８２は、継手８３を介在させて柄部１１に連結されている。継手８３は、円柱状の弾性部材（例えばＮＢＲ）で形成されている。
【００５５】
このようなフック８２を有するハッカー７０であれば、フック８２に海苔網が掛けられた状態でハッカー７０が急激に引っ張られた場合でも、継手８３が矢印８４の方向へ伸長する。そのため、海苔網に急激な負荷が掛からない。したがって、海苔網やそれに付着する海苔の損傷を未然に防ぐことができる。
【００５６】
また、漁師がハッカー７０を持ち手側で上下に振ると、持ち手側の振り幅より大きい幅で継手８３が矢印８５の方向へ揺り動かされ、それに連結されたフック８２も同様に揺動される。このようにフック８２が揺動するため、漁師がハッカー７０を使って海苔網を引っ掛けようとする動作のバリエーションが増える。その結果、ハッカー７０の使用勝手がよくなり、操作性が向上する。
【図面の簡単な説明】
【００５７】
【図１】図１は、本発明の第１の実施形態に係るハッカー１０の斜視図である。
【図２】図２は、本発明の第１の実施形態に係るハッカー１０のフック１２を詳細に示す部分拡大斜視図である。
【図３】図３は、本発明の第１の実施形態に係るハッカー１０のフック１２の部分拡大図であり、（ａ）に正面図が示され、（ｂ）に側面図が示されている。
【図４】図４は、本発明の第２の実施形態に係るハッカー４０のフック４２を詳細に示す部分拡大図である。
【図５】図５は、本発明の第３の実施形態に係るハッカー５０のフック５２を詳細に示す部分拡大図である。
【図６】図６は、本発明の第４の実施形態に係るハッカー７０のフック７２を詳細に示す部分拡大図である。
【図７】図７は、フック７２の変形例であるフック８２を示す部分拡大図である。
【図８】図８は、浮き流し式養殖を説明するための模式図である。
【符号の説明】
【００５８】
１０，４０，５０，７０・・・ハッカー
１１・・・柄部
１２，４２，５２，７２・・・フック
１４・・・端部
１５・・・先端
１６・・・パイプ
１７・・・キャップ
１８・・・ゴム栓
２０・・・貫通孔
２３・・・挿入部
２４・・・主部
２５・・・掛け部
２６・・・湾曲部
２８，２９・・・取付金具
８３・・・継手
【図１】
2008131900.tif 000003
【図２】
2008131900.tif 000004
【図３】
2008131900.tif 000005
【図４】
2008131900.tif 000006
【図５】
2008131900.tif 000007
【図６】
2008131900.tif 000008
【図７】
2008131900.tif 000009
【図８】
2008131900.tif 000010